(57)【要約】      （修正有）【課題】できる限り不要音を取り除き、忠実に音を再生可能なスピーカ装置を提供する。【解決手段】スピーカ筐体がスピーカ筐体本体７と、土台８とスピーカユニット３とを有し、床に載置可能なスピーカ装置である。テンションアンカー１２は、ゴム等の弾性体で形成され、取付金具１１と係止部材１３とに接続され、弾性復帰力によりスピーカユニット３を、床面方向に付勢する。織布により形成されたシート材を円周方向に丸めた内筒部材４は、外筒部材５の内側の形状に沿い、スピーカ筐体の上方の開口縁部４ａに、スピーカユニット３のフランジ部３ａが載置されている。【選択図】図２
2017191981.tif 000002
【特許請求の範囲】
【請求項１】
スピーカ筐体とスピーカユニットとを有し、床面に載置可能なスピーカ装置であって、前記スピーカユニットは、付勢手段により前記床面方向に付勢されており、
前記スピーカ筐体は、繊維素材からなる略筒体であり、前記スピーカ筐体の上方の開口縁部に前記スピーカユニットのフランジ部が載置されていることを特徴とするスピーカ装置。
【請求項２】
前記付勢手段は、前記スピーカユニットのフランジ部の上面に載置される略リング状のウェイト部材であり、前記ウェイト部材と前記スピーカユニットのフランジ部との間には、緩衝部材が介在されていることを特徴とする請求項１に記載のスピーカ装置。
【請求項３】
前記付勢手段は、伸縮性を有する弾性体であり、長手方向の一方端部が前記スピーカユニットの背面に、他方端部が前記スピーカ筐体の床面側に、付勢状態でそれぞれ固定されていることを特徴とする請求項１に記載のスピーカ装置。
【請求項４】
前記付勢手段は、前記スピーカユニットのフランジ部の上面に載置される略リング状のウェイト部材と、長手方向の一方端部を前記スピーカユニットの背面に、他方端部を前記スピーカ筐体の床面側に、付勢状態でそれぞれ固定される伸縮性を有する弾性体と、により構成されていることを特徴とする請求項１に記載のスピーカ装置。
【請求項５】
前記スピーカ筐体は、織布または不織布で形成された内筒部材が、その外面を外筒部材により被覆されて略筒状に形状安定されて構成されていることを特徴とする請求項１ないし４のいずれかに記載のスピーカ装置。
【発明の詳細な説明】
【技術分野】
【０００１】
本発明は、スピーカ装置に関する。
【背景技術】
【０００２】
従来のスピーカ装置は、金属や木材等の硬質の板体で形成された箱型の形状をしたスピーカ筐体にスピーカユニットを固定したものがほとんどであり、この場合、スピーカユニットの振動板背面から輻射された音波がスピーカ筐体を板振動あるいは共振させ、この振動により雑音波が発生し、音の再生時に不要音が混じることになり、忠実な再生を阻害していた。
【０００３】
また、このようなスピーカ装置は、スピーカユニットをネジ止めでスピーカ筐体に固定する構造であることが多い。そのため、固定箇所であるネジ止め部分にスピーカユニットの振動が集中し、経年でネジ止めが緩む虞があり、このネジ止めが緩むとスピーカユニットの振動によりスピーカユニットとスピーカ筐体及びネジとが断続的に接触し、雑音波が生じるという問題があった。
【０００４】
そこで、アルミニウム等の金属で形成された筒状のスピーカ筐体の上方に設けられた開口縁部にスピーカユニットを載置させるとともに、スピーカユニットの背面に一方端に錘を有して延在する支持棒の他方端を固定したものがある（例えば、特許文献１）。これによれば、錘の自重によりスピーカユニットをスピーカ筐体の上方に設けられた開口縁部に押圧させた状態を維持させることができ、時間の経過に関わらずスピーカユニットとスピーカ筐体との間で生じる雑音波を減衰抑制することができる。
【先行技術文献】
【特許文献】
【０００５】
【特許文献１】特開２００１−２２４０８９号公報（第４頁、第１図）
【発明の概要】
【発明が解決しようとする課題】
【０００６】
しかしながら、特許文献１にあっては、スピーカユニットとスピーカ筐体との間で生じる雑音波を減衰できるものの、この振動がアルミニウム等の金属即ち硬質の素材で形成されたスピーカ筐体の板振動を生じさせてしまい、不要音を十分に取り除くことができないという問題があった。
【０００７】
本発明は、このような問題点に着目してなされたもので、できる限り不要音を取り除き、忠実に音を再生可能なスピーカ装置を提供することを目的とする。
【課題を解決するための手段】
【０００８】
前記課題を解決するために、本発明のスピーカ装置は、
スピーカ筐体とスピーカユニットとを有し、床面に載置可能なスピーカ装置であって、前記スピーカユニットは、付勢手段により前記床面方向に付勢されており、
前記スピーカ筐体は、繊維素材からなる略筒体であり、前記スピーカ筐体の上方の開口縁部に前記スピーカユニットのフランジ部が載置されていることを特徴としている。
この特徴によれば、付勢手段によりスピーカユニットが床面方向に付勢されていることから、スピーカユニットをスピーカ筐体に押圧させた状態を維持でき、時間の経過に関わらずスピーカユニットとスピーカ筐体との間で生じる雑音波を減衰抑制できることに加え、スピーカユニットの振動がスピーカ筐体に伝達しても、繊維素材からなるスピーカ筐体は共振しづらく、不要音を減衰抑制することができ、忠実に音を再生することができる。
【０００９】
前記付勢手段は、前記スピーカユニットのフランジ部の上面に載置される略リング状のウェイト部材であり、前記ウェイト部材と前記スピーカユニットのフランジ部との間には、緩衝部材が介在されていることを特徴としている。
この特徴によれば、緩衝部材が介在されているからスピーカユニットの振動が付勢手段であるウェイト部材に伝達しづらく、付勢手段自体の共振及び共振に起因する不要音の発生を抑制することができる。
【００１０】
前記付勢手段は、伸縮性を有する弾性体であり、長手方向の一方端部が前記スピーカユニットの背面に、他方端部が前記スピーカ筐体の床面側に、付勢状態でそれぞれ固定されていることを特徴としている。
この特徴によれば、付勢手段が伸縮性を有する弾性体であることから、スピーカユニットの振動を吸収するため、付勢手段自体が共振することによる雑音波の発生を防止することができる。
【００１１】
前記付勢手段は、前記スピーカユニットのフランジ部の上面に載置される略リング状のウェイト部材と、長手方向の一方端部を前記スピーカユニットの背面に、他方端部を前記スピーカ筐体の床面側に、付勢状態でそれぞれ固定される伸縮性を有する弾性体と、により構成されていることを特徴としている。
この特徴によれば、弾性体によりスピーカユニットを床面方向に引っ張るとともに、リング状のウェイト部材によりスピーカユニットのフランジ部をスピーカ筐体の上方の開口縁部に均一に押圧させた状態を維持することができ、スピーカユニットとスピーカ筐体との間で生じる雑音波を効果的に減衰抑制することができる。
【００１２】
前記スピーカ筐体は、織布または不織布で形成された内筒部材が、その外面を外筒部材により被覆されて略筒状に形状安定されて構成されていることを特徴としている。
この特徴によれば、繊維素材よりなる織布または不織布は、共振しづらく、かつ音波を減衰させる性質を有しているため、スピーカユニットの下面から放射される雑音波が効果的に減衰され、スピーカユニットの上面から出力される音波が雑音波に邪魔されることがなく、忠実な再生を行うことができるようになっている。また、外筒部材により繊維素材によりなる織布または不織布で形成された内筒部材を形状安定させることで、スピーカ筐体を安定的に起立させることができる。
【図面の簡単な説明】
【００１３】
【図１】実施例におけるスピーカ装置を示す斜視図である。
【図２】同様にスピーカ装置を示す側断面図である。
【図３】スピーカ装置の上部構造を示す一部拡大分解斜視図である。
【図４】変形例における内筒部材の構造を示す上面図である。
【発明を実施するための形態】
【００１４】
本発明に係るスピーカ装置を実施するための形態を実施例に基づいて以下に説明する。
【実施例】
【００１５】
実施例に係るスピーカ装置につき、図１から図４を参照して説明する。
【００１６】
図１に示されるように、スピーカ装置１は、略円筒形状のスピーカ筐体２と、スピーカ筐体２の上部に配置されたスピーカユニット３と、を有して構成されている。
【００１７】
図２に示されるように、スピーカ筐体２は、スピーカ筐体本体７と、土台８とにより構成されている。スピーカ筐体本体７は、織布により構成された内筒部材４と、内筒部材４の外面を覆う皮革により形成された外筒部材５と、内筒部材４と外筒部材５との間に介在する遮音シート６と、により構成されている。土台８はスピーカ筐体本体７の下端に取り付けられており、スピーカ筐体２を床面上に自立させることができるようになっている。
【００１８】
スピーカ筐体本体７は、上下に開口部７ａ，７ｂを備え、内筒部材４の開口縁部４ａ（スピーカ筐体の上方の開口縁部）にスピーカユニット３のフランジ部３ａがリング状ゴム製のバッフル１５を介して載置されて上側の開口部７ａが閉塞されている。土台８は、スピーカ筐体本体７の下端に配置された略矩形状の板体９と、板体９の上方に固定されて外筒部材５と内筒部材４との間に介在して配置され、外筒部材５が圧着される円筒状のガイド部材１０と、板体９の下方に固定された脚部２０，２０，…と、を備え、板体９の略中央に形成された略円形の孔９ａが下側の開口部７ｂと同軸となる位置に形成されている。
【００１９】
内筒部材４は、織布により形成されたシート材を円周方向に丸めて構成されており、素材としては柔軟性を有した絨毯等が好ましく、後述する組立時に外筒部材５の内側の形状に沿うように変形可能となっている。加えて、内筒部材４は外筒部材５の内側に敷き詰められた状態で、上端に形成された開口縁部４ａにスピーカユニット３を載置できるだけの形状安定性を備えている。
【００２０】
スピーカユニット３は、下端に取付金具１１が固定されており、この取付金具１１にはテンションアンカー１２の長手方向の一方端部１２ａが接続されている。テンションアンカー１２の他方端部１２ｂは、土台８の下方に配置された係止部材１３に固定されている。尚、係止部材１３は、下側の開口部７ｂを閉塞しないように網板状に形成されているとともに、前述の板体９に形成された孔９ａを通過しない寸法となっている。
【００２１】
テンションアンカー１２は、ゴム等の弾性体で形成され、取付金具１１と係止部材１３とに弾性復帰力により収縮方向に付勢力が加わった状態で取付けられており、テンションアンカー１２の弾性復帰力によりスピーカユニット３のフランジ部３ａが前述の内筒部材４の開口縁部４ａ側に押し付けられた状態が維持されるようになっている。
【００２２】
また、図３に示されるように、スピーカユニット３のフランジ部３ａの上面には、リング状の緩衝材１６を介して略リング状のウェイト部材１７が載置され、スピーカユニット３のフランジ部３ａが内筒部材４の開口縁部４ａ側に押し付けられた状態が維持されるようになっている。スピーカユニット３のフランジ部３ａと内筒部材４の開口縁部４ａとの間には、ゴム製のバッフル１５が介在しているため、スピーカユニット３の振動を吸収するようになっている。また、リング状のウェイト部材１７及びゴム製のバッフル１５は、スピーカユニット３の下面から放射される雑音波の漏洩を防止している。
【００２３】
スピーカ筐体本体７の組立としては、まず、革シートを一部未縫合の部分を残して略筒状に縫合して外筒部材５を形成する。続いて、外筒部材５の内面に、遮音シート６を配置し、図４に示されるように、内筒部材４であるシート材を外筒部材５の内面に沿うように敷詰める。
【００２４】
続いて、図３に示されるように、筒状に形状が安定した状態の内筒部材４の上部にバッフル１５，テンションアンカー１２を取付けた状態のスピーカユニット３，緩衝材１６，ウェイト部材１７を重ねて配置し、テンションアンカー１２の他方端部１２ｂを係止部材１３に固定する。その後、外筒部材５の未縫合部分を閉じる。
【００２５】
上記構成によれば、取付金具１１を介して伝達されたスピーカユニット３の振動を弾性体であるテンションアンカー１２が吸収するため、テンションアンカー１２自体が共振することによる雑音波が発生せず、スピーカ筐体２内の音波の進行を乱すことがないため、吸音されずに下部から放射される音波にも不要音が含まれず、スピーカ装置１が忠実な再生を行えるようになっている。
【００２６】
また、テンションアンカー１２によりスピーカユニット３を床面方向に引っ張るとともに、リング状のウェイト部材１７の自重によりスピーカユニット３のフランジ部３ａを内筒部材４の開口縁部４ａの上面方向に均一に押圧させた状態を維持することができるため、スピーカユニット３のフランジ部３ａによる雑音波を効果的に減衰抑制することができる。
【００２７】
加えて、スピーカユニット３のフランジ部３ａによる雑音波を減衰抑制する付勢手段を上記した２つを併用する構成であることから、付勢力を分散できる。そのため、テンションアンカー１２については、大きな付勢力を必要としないことから、比較的軟性の弾性体を利用でき、テンションアンカー１２自体の共振が効果的に抑制できる。また、ウェイト部材１７については、重量を小さくできることからスピーカ装置１の立位バランスに与える影響を少なくすることができる。
【００２８】
また、ウェイト部材１７とフランジ部３ａの上面との間には、リング状の緩衝材１６が介在しているため、緩衝材１６がスピーカユニット３の振動を吸収し、ウェイト部材１７の振動を抑制する構造となっている。
【００２９】
尚、上述したように、ウェイト部材１７は自重で、テンションアンカー１２は自身の弾性復帰力によりスピーカユニット３のフランジ部３ａを内筒部材４の開口縁部４ａに押し付けており、フランジ部３ａを開口縁部４ａに完全に固定する構造ではないため、強い振動が加わった際にはスピーカユニット３が僅かに浮き上がる場合がある。このとき、強い振動に対しては適度にスピーカユニット３が上下動することで、再生時に生じる振動のエネルギーを放出させることができ、実質的にスピーカ筐体２の共振を効果的に減衰させることができるようになっている。
【００３０】
内筒部材４および遮音シート６及び外筒部材５は軟質であり、硬質の素材に比べて、スピーカユニット３の振動に対して共振しづらくなっている。
【００３１】
また、内筒部材４を形成する繊維素材よりなる織布は、音波を減衰させる性質を有しているため、スピーカユニット３の下面から放射される雑音波が効果的に減衰され、スピーカユニット３の上面から出力される音波が雑音波に邪魔されることがなく、忠実な再生を行うことができるようになっている。
【００３２】
また、図２に示されるように、外筒部材５の開口縁部の内側には、環状に皮革が重合して縫合されて規制部５ａが設けられており、この規制部５ａがウェイト部材１７の上面に当接して、ウェイト部材１７の上方への移動を規制する構造となっている。
【００３３】
尚、内筒部材４は、一枚のシート材を丸めることで構成される構造に限らず、例えば、図４に示される変形例のように、織布により形成された複数のシート材１４，１４，…を円周方向に端部同士を合わせることで構成されてもよい。これによれば１枚当たりのシート材を小さくでき、組立が容易となっている。
【００３４】
更に、図に示すように内側に位置するシート材１４，１４の両端部同士の接合部分Ｃ１，Ｃ１と、外側に位置するシート材１４，１４の両端部同士の接合部分Ｃ２，Ｃ２とを、内筒部材４の軸方向に異なる箇所に位置するように敷詰めることで、内側に位置するシート材１４，１４の両端部同士の接合部分Ｃ１，Ｃ１を通った雑音波が外側に位置するシート材１４，１４の内面に吸収され、吸音効果を高めている。また、接合部分Ｃ１，Ｃ１と接合部分Ｃ２，Ｃ２とが異なる箇所に位置することで円筒形の形状を安定させている。尚、内筒部材４を通過した雑音波は、遮音シート６により内部に反射され、スピーカ筐体本体７の表面から雑音波が放出されにくくなっている。
【００３５】
また、内筒部材４は、複数枚のシート材１４，１４，…を外筒部材５の内面に沿うように敷詰められることで筒状に形状が安定する態様で説明したが、これに限らず、例えば複数枚のシート材として、繊維素材に合成樹脂等を混合する等して、半環状に成形されたものを利用してもよい。
【００３６】
また、複数枚のシート材１４，１４，…は、外筒部材５により筒状に安定させられる構成に限らず、例えば、ゴムバンドやベルトや紐等で筒状に安定させられてもよい。更に、内筒部材４は、複数枚のシート材１４，１４，…により構成される態様に限らず、予め一体の筒状に形成されていてもよい。
【００３７】
以上、本発明の実施例を図面により説明してきたが、具体的な構成はこれら実施例に限られるものではなく、本発明の要旨を逸脱しない範囲における変更や追加があっても本発明に含まれる。
【００３８】
例えば、上述したようにウェイト部材１７の自重とテンションアンカー１２の弾性復帰力とを併用し、スピーカユニット３のフランジ部３ａが内筒部材４の開口縁部４ａの上面方向に押し付けられた状態に維持する態様が好ましいが、これに限らず、例えばテンションアンカー１２の弾性復帰力を強くしてウェイト部材１７を省略してもよいし、反対にウェイト部材１７の重量を重くしてテンションアンカー１２を省略してもよい。
【００３９】
また、テンションアンカー１２は、下端が土台８の下方に配置された係止部材１３に固定される構成に限らず、例えば、内筒部材４の内周面に図示しない固定部材を介して固定されてもよい。
【００４０】
また、スピーカ筐体本体７は、円筒形に限るものではなく、例えば上面視略多角形状であってもよい。
【００４１】
また、内筒部材４は、図３に示されるように、一部が厚み方向に重なる構成でなく、例えば端部同士が接合される構成であってもよい。
【００４２】
また、外筒部材５は共振しにくい軟質な素材であれば皮革に限らず、例えば人工皮革、樹脂シート、布等であってもよい。
【００４３】
また、外筒部材５が十分な遮音性能を有している場合には、遮音シート６は省略してもよい。
【００４４】
また、前記実施例では、外筒部材５の開口縁部に設けられた規制部５ａによりウェイト部材１７の上方への移動が規制される構成となっていることから、スピーカ装置１の転倒時等にウェイト部材１７の脱落を防止できるが、規制部５ａを廃することで、スピーカ筐体本体７の上方開口からスピーカユニット３，バッフル１５，緩衝材１６，ウェイト部材１７とを常時着脱できる構成として、メンテナンス性を向上させてもよい。
【符号の説明】
【００４５】
１                スピーカ装置
２                スピーカ筐体
３                スピーカユニット
３ａ              フランジ部
４                内筒部材
４ａ              開口縁部
５                外筒部材
５ａ              規制部
６                遮音シート
７                スピーカ筐体本体
７ａ，７ｂ        開口部
８                土台
９                板体
９ａ              孔
１０              ガイド部材
１１              取付金具
１２              テンションアンカー
１３              係止部材
１５              バッフル
１６              緩衝材
１７              ウェイト部材
【図１】
2017191981.tif 000003
【図２】
2017191981.tif 000004
【図３】
2017191981.tif 000005
【図４】
2017191981.tif 000006